(57)【要約】  主となる映像コンテンツに加えて付加的なコンテンツを提示する場合に、主となる映像コンテンツに対するユーザの視聴姿勢への悪影響を抑制すること。  コンテンツ提供装置は、ディスプレイに表示される放送中の映像コンテンツに対するユーザの視聴状況を取得する視聴状況取得手段と、前記ユーザに対して前記映像コンテンツと異なる付加コンテンツを提供するコンテンツ提供手段と、前記視聴状況に基づいて、前記付加コンテンツ提供手段が前記ユーザに対して前記付加コンテンツを提供することを制御するコンテンツ制御手段と、を含む。
2014034195.tif 000002
【特許請求の範囲】
【請求項１】
ディスプレイに表示される放送中の映像コンテンツに対するユーザの視聴状況を取得する視聴状況取得手段と、
前記ユーザに対して前記映像コンテンツと異なる付加コンテンツを提供するコンテンツ提供手段と、
前記視聴状況に基づいて、前記コンテンツ提供手段が前記ユーザに対して前記付加コンテンツを提供することを制御するコンテンツ制御手段と、
を含むことを特徴とするコンテンツ提供装置。
【請求項２】
それぞれ他の複数のコンテンツに関連づけられた複数の文を示す情報を付加コンテンツとして取得する付加コンテンツ取得手段をさらに含み、
前記視聴状況取得手段は、前記ユーザが前記ディスプレイの前にいるか否かを検出し、
前記コンテンツ制御手段は、前記複数の文のうち前記ユーザが選択した文に関連づけられる複数のコンテンツのうちいずれか１つを、前記コンテンツ提供装置が前記ディスプレイの前にあるか否かに基づいて選択し、前記コンテンツ提供手段が当該選択されたコンテンツを付加コンテンツとして前記ユーザに提供するよう制御する、
ことを特徴とする請求項１に記載のコンテンツ提供装置。
【請求項３】
前記付加コンテンツ取得手段は、前記映像コンテンツと前記複数の文を示す情報を含む放送信号を復調する装置が転送する前記複数の文を示す情報を取得する、
ことを特徴とする請求項２に記載のコンテンツ提供装置。
【請求項４】
前記複数の文のそれぞれは時刻とも関連づけられ、
前記コンテンツ制御手段は、前記関連づけられた時刻に基づいて前記複数の文を前記ユーザに提供するよう制御する、
ことを特徴とする請求項２または３に記載のコンテンツ提供装置。
【請求項５】
前記視聴状況取得手段は、前記ユーザが放送中の映像コンテンツ以外のコンテンツを閲覧しているか否かを検出し、
前記コンテンツ制御手段は、前記ユーザが前記放送中の映像コンテンツ以外のコンテンツを閲覧している場合に、前記ユーザに対して前記付加コンテンツを提供するよう制御する、
ことを特徴とする請求項１に記載のコンテンツ提供装置。
【請求項６】
前記視聴状況取得手段は、前記ユーザが前記放送中の映像コンテンツ以外のコンテンツの閲覧を終えたかを検出し、
前記コンテンツ制御手段は、前記ユーザが放送中の映像コンテンツ以外の前記コンテンツの閲覧を終えた場合に、前記ユーザに対して前記放送中の映像コンテンツの概要を紹介する情報を付加コンテンツとして提供するよう制御する、
ことを特徴とする請求項１に記載のコンテンツ提供装置。
【請求項７】
ディスプレイに表示される放送中の映像コンテンツに対するユーザの視聴状況を取得する視聴状況取得手段、
前記ユーザに対して前記映像コンテンツと異なる付加コンテンツを提供するコンテンツ提供手段、
前記視聴状況に基づいて、前記コンテンツ提供手段が前記ユーザに対して前記付加コンテンツを提供することを制御するコンテンツ制御手段、
としてコンピュータを機能させるためのプログラム。
【請求項８】
ディスプレイに表示される放送中の映像コンテンツに対するユーザの視聴状況を取得する視聴状況取得手段、
前記ユーザに対して前記映像コンテンツと異なる付加コンテンツを提供するコンテンツ提供手段、
前記視聴状況に基づいて、前記コンテンツ提供手段が前記ユーザに対して前記付加コンテンツを提供することを制御するコンテンツ制御手段、
としてコンピュータを機能させるためのプログラムを格納するコンピュータ読取り可能な情報記憶媒体。
【請求項９】
ディスプレイに表示される放送中の映像コンテンツに対するユーザの視聴状況を取得するステップと、
前記ユーザに対して前記映像コンテンツと異なる付加コンテンツを提供するステップと、
前記視聴状況に基づいて、前記ユーザに対して前記付加コンテンツを提供するステップを制御するステップと、
を含むことを特徴とするコンテンツ提供方法。
【請求項１０】
放送対象となる映像コンテンツを取得する手段と、
それぞれ他の複数のコンテンツに関連づけられた複数の文を示す情報を取得する手段と、
前記映像コンテンツと前記複数の文を示す情報とを有する放送信号を生成する手段と、
前記放送信号を、前記映像コンテンツを提供する装置に向けて送信する送信手段と、
を含むことを特徴とする放送局装置。
【請求項１１】
映像コンテンツと、
それぞれ他の複数のコンテンツに関連づけられた複数の文を含む付加コンテンツと、
を含むことを特徴とするデータ構造。
【発明の詳細な説明】
【技術分野】
【０００１】
本発明はコンテンツ提供装置、コンテンツ提供方法、プログラム、情報記憶媒体、放送局装置およびデータ構造に関する。
【背景技術】
【０００２】
近年は、テレビ番組の映像コンテンツに付加して、データ放送やサーバとの通信により取得した文字を中心とする付加的なコンテンツ（例えばティッカと呼ばれるものがある）をテレビ画面に表示することが行われつつある。また一般的には、テレビ放送では本編となる映像コンテンツの合間にＣＭコンテンツが放送されている。視聴者がＣＭコンテンツが流れている間にトイレに行ったり、スマートフォンなどの他の手段を用いた情報閲覧を行うために、ＣＭコンテンツが視聴されない場合も少なくない。
【発明の概要】
【発明が解決しようとする課題】
【０００３】
付加的なコンテンツを用いてユーザに情報を提供する場合に、ユーザが付加的なコンテンツを見ると、主となる番組の映像コンテンツに対するユーザの集中が削がれる恐れがある。これにより、付加的なコンテンツが無い場合に比べて、番組の映像コンテンツに対するユーザの満足度を低下させる恐れや、実質的な視聴率が低下する恐れが生じる。【０００４】
本発明は上記課題を鑑みてなされたものであって、その目的は、付加的なコンテンツをユーザに提供する場合に、主となる映像コンテンツに対するユーザの視聴姿勢に悪影響を及ぼすことを抑制する技術を提供することにある。
【課題を解決するための手段】
【０００５】
上記課題を解決するために、本発明にかかるコンテンツ提供装置は、ディスプレイに表示される放送中の映像コンテンツに対するユーザの視聴状況を取得する視聴状況取得手段と、前記ユーザに対して前記映像コンテンツと異なる付加コンテンツを提供するコンテンツ提供手段と、前記視聴状況に基づいて、前記コンテンツ提供手段が前記ユーザに対して前記付加コンテンツを提供することを制御するコンテンツ制御手段と、を含むことを特徴とする。【０００６】
また、本発明にかかるプログラムは、ディスプレイに表示される放送中の映像コンテンツに対するユーザの視聴状況を取得する視聴状況取得手段、前記ユーザに対して前記映像コンテンツと異なる付加コンテンツを提供するコンテンツ提供手段、前記視聴状況に基づいて、前記コンテンツ提供手段が前記ユーザに対して前記付加コンテンツを提供することを制御するコンテンツ制御手段、としてコンピュータを機能させる。【０００７】
また、本発明にかかるコンピュータ読み取り可能な記憶媒体は、上記プログラムを格納する。【０００８】
また、本発明にかかるコンテンツ提供方法は、ディスプレイに表示される放送中の映像コンテンツに対するユーザの視聴状況を取得するステップと、前記ユーザに対して前記映像コンテンツと異なる付加コンテンツを提供するステップと、前記視聴状況に基づいて、前記ユーザに対して前記付加コンテンツを提供するステップを制御するステップと、を含むことを特徴とする。【０００９】
本発明によれば、付加的なコンテンツを提示する場合に、主となる映像コンテンツに対するユーザの視聴姿勢に悪影響を及ぼすことを抑制することができる。【００１０】
本発明の一態様では、コンテンツ提供装置はそれぞれ他の複数のコンテンツに関連づけられた複数の文を示す情報を付加コンテンツとして取得する付加コンテンツ取得手段をさらに含み、前記視聴状況取得手段は、前記ユーザが前記ディスプレイの前にいるか否かを検出し、前記コンテンツ制御手段は、前記複数の文のうち前記ユーザが選択した文に関連づけられる複数のコンテンツのうちいずれか１つを、前記コンテンツ提供装置が前記ディスプレイの前にあるか否かに基づいて選択し、前記コンテンツ提供手段が当該選択されたコンテンツを付加コンテンツとして前記ユーザに提供するよう制御してもよい。【００１１】
本発明の一態様では、前記付加コンテンツ取得手段は、電波を介して送信され前記映像コンテンツと前記複数の文を示す情報を含む放送信号を復調する装置が転送する前記複数の文を示す情報を取得してもよい。【００１２】
本発明の一態様では、前記複数の文のそれぞれは時刻とも関連づけられ、前記コンテンツ制御手段は、前記関連づけられた時刻に基づいて前記複数の文を前記ユーザに提供するよう制御してもよい。【００１３】
本発明の一態様では、前記視聴状況取得手段は、前記ユーザが放送中の映像コンテンツ以外のコンテンツを閲覧しているか否かを検出し、前記コンテンツ制御手段は、前記ユーザが前記放送中の映像コンテンツ以外のコンテンツを閲覧している場合に、前記ユーザに対して前記付加コンテンツを提供するよう制御してもよい。【００１４】
本発明の一態様では、前記視聴状況取得手段は、前記ユーザが前記放送中の映像コンテンツ以外のコンテンツの閲覧を終えたかを検出し、前記コンテンツ制御手段は、前記ユーザが放送中の映像コンテンツ以外の前記コンテンツの閲覧を終えた場合に、前記ユーザに対して前記放送中の映像コンテンツの概要を紹介する情報を付加コンテンツとして提供するよう制御してもよい。【００１５】
また、本発明にかかる放送局装置は、放送対象となる映像コンテンツを取得する手段と、それぞれ他の複数のコンテンツに関連づけられた複数の文を示す情報を取得する手段と、前記映像コンテンツと前記複数の文を示す情報とを有する放送信号を生成する手段と、前記放送信号を、前記映像コンテンツを提供する装置に向けて送信する送信手段と、を含むことを特徴とする。【００１６】
また、本発明にかかるデータ構造は、映像コンテンツと、それぞれ他の複数のコンテンツに関連づけられた複数の文を含む付加コンテンツと、を含むことを特徴とする。
【図面の簡単な説明】
【００１７】
【図１】本発明の実施形態にかかる放送システムの構成の一例を示す図である。
【図２】テレビや携帯端末にティッカを表示する場合の例を示す図である。
【図３】テレビにＣＭリストを表示する場合の例を示す図である。
【図４】放送局装置の構成の一例を示す図である。
【図５】放送局装置の処理フローの一例を示す図である。
【図６】ＣＭリスト情報の一例を示す図である。
【図７】ティッカ情報の一例を示す図である。
【図８】あらすじ情報の一例を示す図である。
【図９】テレビの構成の一例を示す図である。
【図１０】携帯端末の構成の一例を示す図である。
【図１１】テレビが実現する機能の構成の一例を示すブロック図である。
【図１２】携帯端末が実現する機能の構成の一例を示すブロック図である。
【図１３】テレビが映像コンテンツを画面に表示する処理のフローの一例を示す図である。
【図１４】テレビの付加コンテンツ出力制御部の処理フローの一例を示す図である。
【図１５】携帯端末の付加コンテンツ出力制御部の処理の一部を示す図である。
【発明を実施するための形態】
【００１８】
以下では、本発明の実施形態について図面に基づいて説明する。はじめに、放送システムの概要について説明する。
【００１９】
図１は、本発明の実施形態にかかる放送システムの構成の一例を示す図である。この放送システムは、放送局装置１と、テレビ２と、携帯端末３と、サーバ４と、送信アンテナ５と、受信アンテナ６とを含んでいる。放送局装置１は、テレビ番組を放送する放送局に設置されており、送信アンテナ５に接続されている。テレビ２はテレビ番組を視聴するユーザ（視聴者）の自宅などに設置されており、受信アンテナ６に接続されている。携帯端末３はユーザが普段持ち歩くものであり、具体的にはスマートフォンや携帯電話、タブレット端末などである。携帯端末３は予め何らかの方法でテレビ２と関連づけられており、例えばテレビ２は携帯端末３をネットワーク内で識別する情報（例えばＭＡＣアドレスやＩＰアドレス）を記憶しており、携帯端末３もテレビ２を識別する情報を記憶している。サーバ４は放送局またはデータセンタに設置されている。サーバ４、テレビ２、および携帯端末３はインターネット７に繋がっている。
【００２０】
放送局が放送する主となる映像コンテンツは、放送局装置１で放送信号に変換され、送信アンテナ５を介して無線信号として放送される。ここで、映像コンテンツは音声付きの動画である。受信アンテナ６は放送信号を受信し、テレビ２は放送信号から復号される映像コンテンツを再生する。また、テレビ２と携帯端末３とは無線ＬＡＮなどを用いて双方向の通信をすることができる。
【００２１】
一方、上述の映像コンテンツと異なる付加的なコンテンツ（以下では「付加コンテンツ」と記す）は、以下に示す２つの方法のいずれかでテレビ２に配信される。１つ目は、付加コンテンツを放送信号に埋め込んで、電波を介して配信する方法である。この方法では、放送局装置１が映像コンテンツと付加コンテンツとを一緒に放送信号に変換して送信し、テレビ２が受信した放送信号から付加コンテンツとを取得する。また、テレビ２は付加コンテンツを携帯端末３に無線通信等を用いて転送する。２つ目は、インターネット７などの既存のネットワークを介して配信する方法である。この方法では、放送局の放送システムがサーバ４に配信すべき付加コンテンツのデータをアップロードし、テレビ２や携帯端末３が必要に応じてサーバ４から付加コンテンツをダウンロードする。
【００２２】
放送局が配信する付加コンテンツは、本編コンテンツに関連するメッセージの情報であるティッカ情報、本編コンテンツのあらすじを説明するあらすじ情報、ＣＭリスト情報、などを含む。ここで、本編コンテンツは映像コンテンツの一部であり、映像コンテンツは本編コンテンツとＣＭコンテンツを含んでいる。本編コンテンツは放送局が作成する番組の本編のコンテンツであり、ＣＭコンテンツは本編の間に流す広告のコンテンツである。また、付加コンテンツを配信するのは必ずしも放送局でなくてもよい。放送局は付加コンテンツへのリンクを配信し、その付加コンテンツへのリンクを選択した場合にコンテンツ提供者のサーバにアクセスするようにしてもよい。また放送局はその付加コンテンツへのリンクを含む情報自体をティッカ情報などの他の付加コンテンツとして配信してもよい。
【００２３】
テレビ２や携帯端末３は、配信された付加コンテンツをテレビ２や携帯端末３の画面に表示する。図２は、テレビ２や携帯端末３にティッカを表示する場合の例を示す図である。図２の例では、主となる映像コンテンツはテレビ２の表示領域の一部に表示され、映像コンテンツを表示する領域の下部にティッカ情報として複数のメッセージが右から左に流れるように表示される。また携帯端末３は、テレビ２またはインターネット７を介してそのティッカ情報を取得しており、携帯端末３はその画面にもティッカ情報のメッセージを上から下に（下から上でもよい）流れるように表示する。さらにこれらのメッセージに他のコンテンツへのリンクを埋め込み、視聴者がリンクを選択するとメッセージに関連づけられたコンテンツを閲覧できる。ユーザにとって携帯端末３で時間に伴い流れていくメッセージを閲覧することやリンクを選択することは違和感がない。従ってこの構成により関連づけられたコンテンツへの誘導をより容易にすることが可能となる。
【００２４】
図３は、テレビ２にＣＭリストを表示する場合の例を示す図である。テレビ２の表示画面の右端には、ＣＭリスト情報が示す、ＣＭリスト７１が表示される。ＣＭリスト７１は、過去及び未来に放送されるＣＭコンテンツのタイトル７２のリストである。ＣＭリスト７１の欄には過去だけでなく放送予定のＣＭコンテンツについてのタイトル７２等の情報も表示される。図３のＣＭリスト７１の左側部分には三角の印である現在記号７３があり、この現在記号７３は、ＣＭリスト７１の左側の領域で再生されているＣＭコンテンツが、現在記号７３がついているＣＭタイトルであることを示している。ＣＭリスト７１の内容は放送されるＣＭコンテンツが変化するとこの例では上方向にスクロールする。
【００２５】
ユーザがリモコンのボタン押下などの操作により気になるＣＭをチェックすると、チェックされたＣＭのタイトル７２に「イイネ！」などのマークが付き、ユーザが後からそのＣＭに関連する情報を閲覧することが可能になる。ユーザはＣＭリスト７１を上下にスクロールさせることで、さらに過去や未来のＣＭコンテンツが何であるかを知ることができる。このようにＣＭの選択や、ＣＭリスト７１の閲覧を可能にすることで、視聴者のＣＭに対する興味を増すことや、気になるＣＭが示す商品情報等をより確実に取得することが可能となる。これにより、広告効果を高めることも可能となる。
【００２６】
ここで、上述の付加コンテンツは、上述の効果を奏する場合がある一方で、映像コンテンツそのものに対するユーザの集中を削いでしまう場合もある。これに対応するため、テレビ２や携帯端末３は、ユーザの視聴状況に応じて付加的なコンテンツの表示を制御することを行っている。以下ではこの表示の制御を含む放送システムの処理の詳細について説明する。
【００２７】
図４は、放送局装置１の構成の一例を示す図である。放送局装置１は、付加コンテンツ入力部１１と、放送信号生成部１２と、放送信号送信部１３と、放送進行データ記憶部１４と、映像コンテンツ記憶部１５とを含む。
【００２８】
放送進行データ記憶部１４は、例えばハードディスクドライブのような外部記憶手段やメモリ素子により構成されており、放送局にある図示しない営業放送システムにより生成される放送進行データを記憶する。放送進行データとは、放送局が放送する映像コンテンツの時間推移を示す情報であり、ある番組を構成する複数の本編コンテンツおよび複数のＣＭコンテンツのインデックスを放送順に並べた情報である。放送進行データはより具体的には複数のレコードを有し、それぞれのレコードは、開始時間と終了時間からなる期間、その期間に本編コンテンツを放送するかＣＭコンテンツを放送するかのフラグ、ＣＭコンテンツのＣＭコード、本編コンテンツの実体をへのリンクなどを含む。映像コンテンツ記憶部１５は、外部記憶手段やメモリ素子により構成されており、本編コンテンツやＣＭコンテンツを記憶する。
【００２９】
図５は、放送局装置１の処理フローの一例を示す図である。本図に示す処理フローを用いて、付加コンテンツ入力部１１、放送信号生成部１２、放送信号送信部１３、の機能を説明する。
【００３０】
放送信号生成部１２は、コンピュータや信号処理用のハードウェアで実現されており、放送時間に応じた本編コンテンツやＣＭコンテンツのデータと、付加コンテンツのデータとを、放送信号に変換する。より具体的には、放送信号生成部１２は、はじめに、放送進行データ記憶部１４から放送進行データを取得する（ステップＳ１０１）。
【００３１】
次に、放送信号生成部１２は、放送進行データに基づいて、放送時間に応じてリアルタイムで放送する映像コンテンツ（本編コンテンツやＣＭコンテンツ）のデータを映像コンテンツ記憶部１５から取得する（ステップＳ１０２）。なお、ＣＭコンテンツのデータ自体には、そのＣＭコンテンツを識別するＣＭコードも埋め込まれている。以降の放送信号生成部１２の処理は付加コンテンツ入力部１１の処理を説明した後で説明する。
【００３２】
付加コンテンツ入力部１１は、キーボードなどの入力手段やコンピュータなどで構成されており、付加コンテンツの情報を取得する（ステップＳ１０３）。より具体的には、付加コンテンツ入力部１１は、オペレータのキーボードを操作して入力した付加コンテンツの情報を入力手段を介して取得し、また予め作成され記憶手段に記憶された付加コンテンツの情報を読込んで取得する。
【００３３】
前述したように、付加コンテンツの情報としては、例えばＣＭリスト情報、ティッカ情報、あらすじ情報がある。図６、図７，図８は、それぞれＣＭリスト情報、ティッカ情報、あらすじ情報の一例を示す図である。
【００３４】
ＣＭリスト情報は、放送局が放送するＣＭコンテンツのタイトルなどの概要のリストである。ＣＭリスト情報は、具体的には、放送のタイミングの前の一定の期間に放送された１または複数のＣＭコンテンツ、および、将来の一定の期間（例えば現在から２４時間など）に放送される複数のＣＭコンテンツについての概要の情報である。１つのＣＭコンテンツの概要として、ＣＭコンテンツの放送の開始時間、ＣＭコンテンツのＣＭコード、ＣＭコンテンツのタイトル等を示す文字情報、またこのＣＭコンテンツに関する追加情報を取得するためのＵＲＬなどがある。図６ではこのＵＲＬは２種類ある。複数のＵＲＬを利用する方法については後述する。なお、ＣＭコンテンツの放送予定は、放送の直前まで変化することが多い。従って、放送局装置１が取得するＣＭリスト情報は定期的に更新されている。
【００３５】
ティッカ情報は、本編コンテンツに関連する複数のメッセージの情報であり、メッセージにつき１つのレコードを有する。各レコードは、ティッカを画面に表示する時間、表示するメッセージの文章、メッセージがクリックされた際に提供する追加情報を取得するための２種類のＵＲＬなどを有する。
【００３６】
あらすじ情報は、放送中の本編コンテンツのこれまでのあらすじを示す情報であり、それぞれ時間に紐づけられた複数の説明文からなる。スポーツのライブ放送であれば過去の本編コンテンツに関するあらすじ情報しかないが、ドラマなど事前に準備されたコンテンツであれば、放送時点より未来についてのあらすじ情報を含んでもよい。
【００３７】
付加コンテンツの情報が取得されると、放送信号生成部１２は、映像コンテンツのデータと付加コンテンツのデータとを混合して、放送データを生成し、さらに放送データをデジタル放送の形式に変換して放送信号を生成する（ステップＳ１０４）。
【００３８】
放送信号送信部１３は、送信アンテナ５を用いて放送エリア内にあるテレビ２に向けて放送信号を送信する。
【００３９】
放送局装置１に含まれる付加コンテンツ入力部１１は、定期的に上述の付加コンテンツを取得し、放送信号生成部１２や放送信号送信部１３は、付加コンテンツを定期的に配信する。テレビ２は、チャンネルの変更などがあるため常に付加コンテンツを取得することができないため、チャンネル変更後、遅くとも一定時間が経過する前に付加コンテンツを取得できるようにする必要があるからである。なお、放送局装置１は、付加コンテンツの情報を放送信号に配信する代わりに、サーバ４に付加コンテンツの情報を定期的にアップロードしてもよい。
【００４０】
次に、放送局から送信される映像コンテンツや、配信される付加コンテンツを受けて動作するテレビ２や携帯端末３について説明する。
【００４１】
図９は、テレビ２の構成の一例を示す図である。テレビ２は、中央制御部２１と、記憶部２２と、チューナ２３と、通信部２４と、カメラ２５と、表示パネル２６と、スピーカ２７とを有する。
【００４２】
中央制御部２１は、記憶部２２に格納されているプログラムに従って動作し、チューナ２３や通信部２４を制御する。なお、上記プログラムは、フラッシュメモリ等のコンピュータで読み取り可能な記憶媒体に格納されて提供されるものであってもよいし、インターネット７等のネットワークや電波を介して提供されるものであってもよい。
【００４３】
記憶部２２は、ＲＡＭやフラッシュメモリ等のメモリ素子等によって構成されている。記憶部２２は、上記プログラムを格納する。また、記憶部２２は、各部から入力される情報や演算結果を格納する。
【００４４】
チューナ２３は、地上波や衛星波などを用いて送信される放送信号を、受信アンテナ６を介して取得する。チューナ２３はケーブルテレビネットワークなどの有線通信網を介して放送信号を取得してもよい。チューナ２３は、取得した放送信号を復号し、ＣＭコンテンツを含む映像コンテンツのデータや、付加コンテンツのデータを出力する。
【００４５】
通信部２４は有線ＬＡＮや無線ＬＡＮを構成する集積回路や端子、アンテナなどにより構成されている。通信部２４は、他の装置と通信する機能を有し、インターネット７を介してサーバ４とも通信する機能を有する。通信部２４は、中央制御部２１の制御に基づいて、他の装置から受信した情報を中央制御部２１や記憶部２２に入力し、他の装置に情報を送信する。
【００４６】
カメラ２５はテレビ２の前面に取付けられており、テレビ２の前にいる視聴者の姿を撮影する。撮影された視聴者の姿は、後述する視聴状態の解析に用いられる。表示パネル２６は映像コンテンツの動画を表示するデバイスである。
【００４７】
図１０は、携帯端末３の構成の一例を示す図である。携帯端末３は、中央制御部３１と、記憶部３２と、表示操作部３３と、通信部３４とを有する。中央制御部３１、記憶部３２、通信部３４は、それぞれ中央制御部２１、記憶部２２、通信部２４と同様のものである。ただし、中央制御部３１、記憶部３２、通信部３４はバッテリ駆動に対応するために省電力化等がされている点や、通信部３４が無線ＬＡＮや携帯電話網を用いた通信を行う集積回路やアンテナからなる点が異なる。
【００４８】
表示操作部３３は、液晶表示パネル等の表示出力デバイスを制御する手段や、タッチパネルやリモコン等の入力デバイスを制御する手段などによって構成されている。表示操作部３３は、中央制御部３１の制御に基づいて、画像データ等を表示出力デバイスに対して出力し、入力デバイスより操作者（ユーザ）からの情報を取得する。
【００４９】
図１１は、テレビ２が実現する機能の構成の一例を示すブロック図である。テレビ２は、機能的には、放送信号受信部５１、映像コンテンツ解析部５２、付加コンテンツ取得部５３、画像音声提供部５４、付加コンテンツ出力制御部５５、視聴状況解析部５６、ＣＭリスト更新部５７、付加コンテンツ転送部５８を含む。また付加コンテンツ出力制御部５５は、出力判定部５５１、リスト処理部５５２、閲覧処理部５５３を機能的に含む。これらの機能は、主に中央制御部２１が記憶部２２に格納されたプログラムを実行し、チューナ２３や通信部２４等を制御することによって実現される。
【００５０】
図１２は、携帯端末３が実現する機能の構成の一例を示すブロック図である。携帯端末３は、機能的には、付加コンテンツ取得部６１、付加コンテンツ出力制御部６２、画像音声提供部６３、視聴状況解析部６４、クーポン処理部６５、リマインダ部６６を含む。また付加コンテンツ出力制御部６２は、出力判定部６２１、リスト処理部６２２、閲覧処理部６２３を機能的に含む。これらの機能は主に中央制御部３１が記憶部３２に格納されたプログラムを実行し、通信部３４等を制御することによって実現される。
【００５１】
ここで、テレビ２も携帯端末３も付加コンテンツ取得部５３，６１、付加コンテンツ出力制御部５５，６２、画像音声提供部５４，６３、視聴状況解析部５６，６４を有する。これらの共通点、相違点については後述する。
【００５２】
図１３は、テレビ２が映像コンテンツを画面に表示する処理のフローの一例を示す図である。図１３は、放送信号を取得する処理や、映像コンテンツを画面に表示する処理などのリアルタイムの処理についてのフローである。以下ではこの処理に関連する放送信号受信部５１、映像コンテンツ解析部５２、付加コンテンツ取得部５３、画像音声提供部５４、付加コンテンツ転送部５８について、処理フローを用いて説明する。
【００５３】
放送信号受信部５１は、チューナ２３、中央制御部２１、記憶部２２を中心として実現される。放送信号受信部５１は、放送信号を受信する（ステップＳ２０１）。放送信号は、受信アンテナ６を介して放送信号受信部５１に入力され、放送信号受信部５１は、その受信アンテナ６から入力された放送信号の電波を復調しデータにする。
【００５４】
映像コンテンツ解析部５２は、チューナ２３、中央制御部２１、記憶部２２を中心として実現される。映像コンテンツ解析部５２は、復調された放送信号から、映像コンテンツの画像データを生成する（ステップＳ２０２）。より具体的には、映像コンテンツ解析部５２は、放送信号をデータに変換し、そのデータに含まれる映像コンテンツのデータを取得する。その映像コンテンツのデータは画像データや音声データが圧縮されたものであり、映像コンテンツ解析部５２は映像コンテンツのデータを伸長し、画像データや音声データを取得する。また映像コンテンツ解析部５２は映像コンテンツがＣＭコンテンツである場合、放送されるＣＭコンテンツのＣＭコードも取得する。データの変換や伸長の処理はチューナ２３のハードウェアにより行うが、中央制御部２１がプログラムを実行することで実現してもよい。なお、ＣＭコードを放送信号から取得する代わりに、映像コンテンツの画像や音声から特徴量を抽出し、ＣＭデータベースからその特徴量に対応するＣＭのＣＭコードなどの情報を取得してもよい。
【００５５】
テレビ２にある付加コンテンツ取得部５３は、チューナ２３、中央制御部２１、記憶部２２を中心として実現される。付加コンテンツ取得部５３は、放送信号から付加コンテンツの情報を取得する（ステップＳ２０３）。また付加コンテンツ取得部５３は取得した付加コンテンツのデータを記憶部２２に格納する（ステップＳ２０４）。より具体的には、付加コンテンツ取得部５３は、放送信号が変換されたデータのうちデータ放送の領域から付加コンテンツのデータを取得する。なお、付加コンテンツ取得部５３は、放送信号の代わりに、テレビ２が再生しているコンテンツを放送している放送局に対応するサーバ４から、インターネット７等のネットワークを介して付加コンテンツの情報を取得してもよい。
【００５６】
次に、付加コンテンツ転送部５８は、取得された付加コンテンツのデータを携帯端末３に向けて転送する（ステップ２０５）。付加コンテンツを転送する方法としては、予めテレビ２と携帯端末３との間を無線ＬＡＮのアドホックモードで接続し、その無線ＬＡＮを用いて通信する方法を用いてもよいし、テレビ２を家庭内ＬＡＮに接続し、その家庭内ＬＡＮにある無線ＬＡＮアクセスポイント等を介して通信してもよい。
【００５７】
付加コンテンツ転送部５８が転送した付加コンテンツのデータは、携帯端末３にある付加コンテンツ取得部６１が受信し、取得する。ここで、付加コンテンツ取得部６１は、中央制御部３１、通信部３４、記憶部３２を中心として実現される。なお、付加コンテンツ取得部６１は、インターネット７を介してサーバ４から付加コンテンツのデータをダウンロードして取得してもよい。
【００５８】
ＣＭリスト更新部５７は、中央制御部２１および記憶部２２を中心として実現される。ＣＭリスト更新部５７は、付加コンテンツ取得部５３が取得した付加コンテンツに含まれるＣＭリスト情報や、映像コンテンツに含まれるＣＭコードに基づいて、記憶部２２に記憶されるＣＭリスト情報のレコードを更新する（ステップＳ２０６）。例えば、ＣＭリスト更新部５７は付加コンテンツとしてＣＭリスト情報を取得した場合には、配信される付加コンテンツに含まれるＣＭリスト情報に含まれる時間帯については配信された情報をレコードに上書きし、また放送されたＣＭコンテンツに含まれるＣＭコードをその時間帯のレコードに上書きする。後者の場合、ＣＭリスト更新部５７はＣＭコード以外のタイトル等の情報をＣＭコードをキーにしてサーバ４や事前にダウンロードしたデータベースから取得し、それらの情報をレコードに上書きしてもよい。
【００５９】
画像音声提供部５４は、中央制御部２１、記憶部２２、表示パネル２６、スピーカ２７を中心として実現される。画像音声提供部５４は、映像コンテンツ解析部５２が取得した映像コンテンツのデータや、後述する付加コンテンツ出力制御部５５の制御（例えば付加コンテンツ出力制御部５５が出力する表示用のデータ）に基づいて、映像コンテンツと付加コンテンツを含む画像や音声のデータを生成し（ステップＳ２０７）、またその画像や音声を表示パネル２６やスピーカ２７に出力する（ステップＳ２０８）。
【００６０】
次に、付加コンテンツの表示を制御する処理に関連する機能について説明する。
【００６１】
テレビ２にある視聴状況解析部５６はカメラ２５、中央制御部２１、記憶部２２、通信部２４を中心として実現され、携帯端末３にある視聴状況解析部６４は中央制御部３１、記憶部３２、通信部３４、を中心として実現される。視聴状況解析部５６，６４は、ユーザの視聴状況を解析する。ここで、ユーザの視聴状況は、例えばユーザがテレビ２における主となる映像コンテンツにどの程度集中しているか、あるいは集中してほしい状態であるかといったことを示す状況のことである。
【００６２】
ユーザがこの映像コンテンツに集中している程度としては、例えばテレビ２の前（近くでもよい、以下同じ）におりテレビ２を注視している状態、テレビ２の前にいるが他の行為をしながらテレビ２を視聴する、ながら視聴の状態、テレビ２の前から離れてしまった状態の３種類が考えられる。この状態を判別するために、視聴状況解析部５６，６４のそれぞれは、ユーザがテレビ２の前にいるか否か、ユーザが携帯端末３を操作しているか、あるいはユーザの視線がテレビ２を向いているかについての状態を解析する。
【００６３】
ユーザがテレビ２の前にいるか否かの判定は、より具体的には、視聴状況解析部５６，６４は、ユーザに関連づけられた携帯端末３やテレビ２が受信する相手の電波の強度を用いてテレビ２と携帯端末３との距離を判定することでテレビ２の前にいるか否か判定してもよいし、視聴状況解析部６４がマイクを用いて音声をサンプリングし、視聴状況解析部５６，６４が、サンプリングされた音声とテレビ２が出力する音声との相関の程度に基づいてテレビ２の前にいるか否かを判定してもよいし、また視聴状況解析部５６がカメラ２５で取得したテレビ２の前の画像に対して顔認識技術を適用してユーザがテレビ２の前に居るかを判定してもよい。
【００６４】
ユーザが携帯端末３を操作しているか否かの判定は、具体的には以下のようにすればよい。はじめに、視聴状況解析部６４は携帯端末３に含まれる閲覧処理部６２３が残すＷｅｂコンテンツの閲覧状況などの操作ログを取得し、さらに視聴状況解析部６４が現在から一定時間内にユーザが携帯端末３に対し何らかの操作をしたか、あるいは何らかのコンテンツを閲覧する操作をしたかを解析し、一定時間内に何らかの操作があった場合などに、ユーザが携帯端末３を操作している状態であると判定すればよい。また、ユーザの視線がテレビ２を向いているかについては、視聴状況解析部５６がカメラ２５で取得したテレビ２の前の画像に対して顔認識技術を適用してユーザの視線を検出することで判定すればよい。ここで、閲覧処理部６２３は、中央制御部３１、記憶部３２、通信部３４を中心として実現される。またテレビ２の閲覧処理部５５３は、中央制御部２１、記憶部２２、通信部２４等を中心として実現される。閲覧処理部５５３，６２３は、ユーザの操作（文字入力やリンクのＵＲＬを選択することなど）に基づいてＷｅｂなどのコンテンツを画像音声提供部５４に提供させ、ユーザにそのコンテンツを閲覧させる。また閲覧処理部５５３，６２３はユーザが閲覧した時間と閲覧しているページや、操作内容などのログを記憶部３２に記憶している。なお、閲覧処理部６２３は、他の処理も行うがこれについては後述する。
【００６５】
次に、ユーザがこれから映像コンテンツに集中してほしい状態（映像コンテンツに対する注意が戻ることが期待できる状態）としては、ユーザが他のコンテンツの閲覧を終了した状態がある。より具体的には、例えばユーザがティッカ情報のメッセージやＣＭリスト７１内のタイトル７２を選択することにより表示されるリンク先のＷｅｂコンテンツ等の視聴を終えた状態が考えられる。これを検出するために、視聴状況解析部５６，６４は、閲覧処理部６２３やＷｅｂコンテンツのウインドウが閉じられた、あるいはそのウインドウが非アクティブになった場合に、ユーザが他のコンテンツの閲覧を終了した状態であると判定する。
【００６６】
なお、上述の視聴状況解析部５６，６４は、互いに通信をしながら動作する。例えば視聴状況解析部５６，６４の一方が判定した内容を他方が通信で取得してもよいし、視聴状況解析部５６，６４の間で判定を行う前の測定結果や履歴の情報をやりとりし、それぞれが判定を行ってもよい。
【００６７】
テレビ２の付加コンテンツ出力制御部５５は中央制御部２１、記憶部２２を中心として実現される。付加コンテンツ出力制御部５５は、視聴状況解析部５６が取得した視聴状況に基づいて、ユーザに対する付加コンテンツの提供を制御する。
【００６８】
図１４は、付加コンテンツ出力制御部５５の処理フローの一例を示す図である。はじめに、付加コンテンツ出力制御部５５に含まれる出力判定部５５１は、視聴状況解析部５６が取得した視聴状況が、テレビ２の前にユーザがいることを含むか否かを判定する（ステップＳ５０１）。ユーザがテレビ２の前にいない場合には（ステップＳ５０１のＮ）、出力判定部５５１はステップＳ５０２から５０４の処理をスキップする。ユーザがテレビ２の前にいる場合には（ステップＳ５０１のＹ）、出力判定部５５１はユーザがテレビ２の前に居る場合にティッカを表示する設定になっているかを確認する（ステップＳ５０２）。ティッカを表示する設定になっている場合には（ステップＳ５０２のＹ）、出力判定部５５１はティッカ情報のメッセージを出力すると判定し、付加コンテンツ出力制御部５５に含まれるリスト処理部５５２は、取得されたティッカ情報に基づいてティッカを画面に表示させる処理を行う（ステップＳ５０３）。ここで、ティッカを表示しない設定になっていても（ステップＳ５０２のＮ）、ユーザが携帯端末３を操作しており映像コンテンツ以外のコンテンツを閲覧していると判断される場合には（ステップＳ５０４のＹ）、出力判定部５５１はティッカ情報のメッセージを出力すると判定し、ステップＳ５０３の処理を行う。ユーザが閲覧していないと判断された場合には（ステップＳ５０４のＮ）、出力判定部５５１はステップＳ５０３をスキップする。
【００６９】
ステップＳ５０３において、リスト処理部５５２は、取得したティッカ情報のメッセージうち、現在に最も近い時刻が設定されているメッセージと、その前後の一定件数のメッセージを表示するよう画像音声提供部５４を制御する。またリスト処理部５５２は予め設定される、あるいは過去の操作履歴から推測されるユーザの好みに応じて各メッセージの対象として適切なユーザを判定し、各メッセージの先頭にそのユーザのアイコンを表示させる。こうすることで、ユーザがメッセージを閲覧する負荷を減少させることができる。
【００７０】
また、リスト処理部５５２が表示するメッセージをユーザが選択し、何らかのアクションをすることも可能である。ユーザがメッセージに対して可能なアクションとしては、そのメッセージを後で閲覧しやすいチェックを付ける操作、ＳＮＳなどで友人などに紹介する操作、また過去にチェックを付けたメッセージを探す操作などがある。
【００７１】
次に付加コンテンツ出力制御部５５は、ユーザが放送中の映像コンテンツ以外のコンテンツの閲覧を終えたか否かに基づいて付加コンテンツの表示を制御する。より具体的には、出力判定部５５１は、ユーザが閲覧を終えた場合には（ステップＳ５０５のＹ）、あらすじ情報の出力をすると判定し、リスト処理部５５２があらすじ情報に基づいてあらすじの説明文を画面（例えば図３でＣＭリスト７１が表示される領域）に表示させる処理を行う（ステップＳ５０６）。ユーザが閲覧を終えていない、あるいはそもそも閲覧をしていない場合には（ステップＳ５０５のＮ）出力判定部５５１はステップＳ５０６の処理をスキップする。この際、リスト処理部５５２は、取得したあらすじ情報のうち、過去の時間が設定されているレコードのみを表示するよう制御する。
【００７２】
次に、付加コンテンツ出力制御部５５は、ＣＭリスト７１を出力するか否かを制御する。はじめに、出力判定部５５１は現在がＣＭを放送しているタイミングであるか否かを判断する（ステップＳ５０７）。そして、ＣＭを放送していないタイミングであれば（ステップＳ５０７のＮ）、出力判定部５５１はステップＳ５０８からＳ５１０の処理をスキップする。またＣＭを放送しているタイミングである場合には（ステップＳ５０７のＹ）出力判定部５５１はさらに条件を確認する。具体的には、ＣＭリスト７１を出力する設定になっている場合（ステップＳ５０８のＹ）や、ＣＭリスト７１を出力しない設定（ステップＳ５０８のＮ）であってもユーザが現在から一定期間内にＣＭを選択するなどでＣＭリスト７１を出力する操作をしている場合（ステップＳ５０９のＹ）には、出力判定部５５１はＣＭリスト７１を表示させると判定し、リスト処理部５５２がＣＭリスト７１を表示させる処理を行う（ステップＳ５１０）。なお、ユーザが現在から一定期間内にＣＭリスト７１について何らかの操作している場合には、ＣＭを放送していないタイミングであっても出力判定部５５１はＣＭリスト７１を表示させると判定してよい。
【００７３】
ここで、リスト処理部５５２は、ＣＭリスト７１のうち、現在時刻を含む過去から未来の一定の数のＣＭコンテンツについての情報を表示させる。またユーザがチェックしたＣＭコンテンツに対応し、記憶部２２に格納されるＣＭリスト情報の項目に後でチェックするフラグをつけ、またＣＭリストのその項目にチェックされたことを示すマークを加えて表示するよう制御する。このユーザがＣＭコンテンツをチェックする方法は、いくつかある。１つは、映像コンテンツとしてＣＭコンテンツが出力されている際に、リモコンのボタン押下等でそのＣＭコンテンツをチェックする操作をする方法である。この場合、ＣＭリスト７１は事前に表示されていなくてもよい。もう１つは、表示されているＣＭリスト７１からＣＭをチェックする方法である。こちらの方法では、ボタンを押下できなかった過去のＣＭについてもＣＭコンテンツにチェックをすることが可能となる。また、リスト処理部５５２は時間の推移に伴いＣＭリスト７１をスクロールさせるよう制御してもよい。
【００７４】
携帯端末３の付加コンテンツ出力制御部６２は中央制御部３１、記憶部３２を中心として実現される。付加コンテンツ出力制御部６２は、視聴状況解析部６４が取得した視聴状況に基づいて、ユーザに対する付加コンテンツの提供を制御する。
【００７５】
携帯端末３の付加コンテンツ出力制御部６２に含まれる出力判定部６２１、リスト処理部６２２の処理内容は、出力判定部５５１、リスト処理部５５２の処理内容と多くは共通するが、視聴状況を視聴状況解析部６４から取得し、出力の制御は画像音声提供部６３に対して行う点、また付加コンテンツ出力制御部６２は、あらすじ情報の表示に関わる制御（ステップＳ５０５，Ｓ５０６）を行わず、代わりに、ティッカ情報のメッセージやＣＭリスト７１のレコード（タイトル７２）をユーザが選択した場合に表示するコンテンツをユーザがテレビ２の前にいるか否かに基づいて切り替える処理を行う点が異なる。なお、携帯機器３は表示画面が小さく映像コンテンツを表示しないため、画像音声提供部６３が例えばタイムライン形式で、付加コンテンツを表示操作部３３の表示パネル等に出力することはもちろんである。
【００７６】
図１５は、携帯端末３の付加コンテンツ出力制御部６２の処理の一部を示す図である。付加コンテンツ出力制御部６２は付加コンテンツ出力制御部５５と共通の処理を行ったあとに、図１５に示す処理を行う。リスト処理部６２２はティッカ等のリンクが選択された場合には（ステップＳ５１１）、視聴状況解析部６４が取得した視聴状況に基づいてユーザがテレビの前にいるか判定する（ステップＳ５１２）。ユーザがテレビ２の前に居る場合には（ステップＳ５１２のＹ）、リスト処理部６２２はＣＭリスト情報やティッカ情報の第１のＵＲＬにあるＷｅｂコンテンツを表示させるよう閲覧処理部６２３に命令する処理を行う（ステップＳ５１３）。一方、ユーザがテレビの前にいない場合には、リスト処理部６２２はＣＭリスト情報やティッカ情報の第２のＵＲＬにあるコンテンツを表示させるよう閲覧処理部６２３に命令する処理を行う（ステップＳ５１４）。閲覧処理部６２３は、ユーザがティッカ情報やＣＭリスト７１のいずれかを選択し、コンテンツを表示させるＵＲＬの指示を受けた場合に、それらのＵＲＬが示すリンク先のコンテンツなどを取得し、画面に表示させる処理を行う。
【００７７】
また、第１または第２のＵＲＬでアクセスする際に、リスト処理部６２２はそのアクセス時間とＵＲＬとを含むアクセス情報をサーバ４に送信する。ここで、図１５に示す処理ではＣＭリスト情報やティッカ情報に複数のＵＲＬが含まれる形で記載しているが、代わりに、リスト処理部６２２がサーバ４にアクセス情報を送る際にユーザがテレビ２の前にいるか否かの情報を送信し、それに応じて異なるＵＲＬをサーバから取得してもよい。その場合、その取得されたＵＲＬが示すリンク先のコンテンツを表示させるようリスト処理部６２２が閲覧処理部６２３に命令する。
【００７８】
このリンク先のコンテンツとして、ＣＭコンテンツの放映時間では説明しきれないことを動画などのリッチコンテンツで提供することが考えられる。このようなリッチコンテンツをユーザに無条件で提供すると、ユーザの注意が付加的なそのリッチコンテンツに向いてしまい、主となる映像コンテンツに戻ってこなくなる恐れがある。そこで、ユーザがテレビ２の前に居る場合にアクセスするＵＲＬ（第１のＵＲＬ）には動画を含まないなど比較的簡潔で閲覧に時間がかからないコンテンツを格納し、またユーザがテレビ２の前にいない場合にアクセスするＵＲＬ（第２のＵＲＬ）には動画などのリッチコンテンツを置くようにすることで、ユーザが映像コンテンツから脱線して映像コンテンツの閲覧に戻らなくなる可能性を減らすことが可能となる。
【００７９】
なお、テレビ２の付加コンテンツ出力制御部５５でもリンク先のコンテンツを提供してもよい。この場合、例えば通常は第１のＵＲＬのコンテンツだけが提供されるようにし、選択の際に長押しするなどの特別な操作がされた場合にだけ第２のＵＲＬを選択できるようにしてもよい。また、テレビ２の表示領域を分割し、映像コンテンツのエリアとリンク先のコンテンツを表示するエリアとを分けて表示させてもよい。
【００８０】
また、付加コンテンツ出力制御部５５，６２が送信するアクセス情報は、ＣＭコンテンツや本編コンテンツを識別する情報、ユーザの属性（性別や年齢など）、ティッカのメッセージを識別する情報などを含む。放送局側でこのアクセス情報を集計することで、ＣＭの効果をより詳細に把握することが可能になる。
【００８１】
また、ティッカ情報のメッセージ等のリンク先のコンテンツを閲覧したユーザに、クーポンを提供してもよい。クーポン処理部６５は、中央制御部３１、記憶部３２、通信部３４等を中心として実現される。クーポン処理部６５は、リンク先のコンテンツを閲覧したユーザの携帯端末３にクーポンを送信するサーバからクーポンの情報を取得する。取得するクーポンの情報としては、クーポンの画像、有効期限、利用可能な店を識別する情報、有効か無効かのフラグ（Ｗｅｂコンテンツ閲覧五に取得するものは通常は有効に設定されている）などがある。クーポン処理部６５は、ユーザが選択したクーポンの画像（例えばバーコード）を表示させたり、無線を用いてレジと通信することができ、それらを用いて店舗で割引を受けることが可能になる。
【００８２】
なお、放送局がティッカ情報のメッセージなどに関連付けたクーポンの情報を放送信号に含ませて配信してもよい。この場合、クーポン取得部６５はリンク先の動画などのコンテンツを閲覧したか否か、あるいはＣＭリスト７１に含まれるＣＭを選択したかなどを監視し、閲覧や選択をした場合にそのコンテンツに関連するクーポンを有効にする。
【００８３】
また、クーポン処理部６５は、携帯端末３の位置をＧＰＳ等を用いて常にモニタリングし、有効なクーポンに対応する店舗に近づいたらそのことを知らせる。知らせる方法としては、ＣＭの音声を再生する、ＣＭの画像を待ち受け画面に表示する、音声やバイブレーションで知らせる、などがある。
【００８４】
また、リスト処理部５５２，６２２は、クーポンをダウンロードしたか否かに応じて、そのクーポンに関連づけられたティッカ情報のメッセージを画面に表示させるか否かを制御してもよい。ティッカ情報のメッセージがクーポンに関連づけられるか否かは、クーポンの取得の契機となったＵＲＬが各メッセージに関連づけられているか否かで判定してよい。
【００８５】
リマインダ部６６は、中央制御部３１、記憶部３２を中心として実現される。リマインダ部６６はチェックされたＣＭコンテンツについて、後から閲覧されなかった期間が一定期間となった場合に、ユーザにＣＭコンテンツの閲覧やクーポンの取得・利用を促すメッセージを提供する。こうすることで、ユーザがＣＭを意識する機会を増やすことが可能となり、効果が向上することが期待できる。
【００８６】
なお、上述の説明では表示パネル２６やスピーカ２７を有するテレビ２が放送信号を受信して映像コンテンツの表示を行っているが、放送信号を受信する筐体と表示パネル２６やスピーカ２７とが別の筐体になっていてもよい。
【符号の説明】
【００８７】
１  放送局装置、２  テレビ、３  携帯端末、４  サーバ、５  送信アンテナ、６受信アンテナ、７  インターネット、１１  付加コンテンツ入力部、１２  放送信号生成部、１３  放送信号送信部、１４  放送進行データ記憶部、１５  映像コンテンツ記憶部、２１，３１  中央制御部、２２，３２  記憶部、２３  チューナ、２４  通信部、２５  カメラ、２６  表示パネル、２７  スピーカ、３３  表示操作部、３４  通信部、５１  放送信号受信部、５２  映像コンテンツ解析部、５３  付加コンテンツ取得部、５４  画像音声提供部、５５、６２  付加コンテンツ出力制御部、５６，６４  視聴状況解析部、５７  ＣＭリスト更新部、５８  付加コンテンツ転送部、６１  付加コンテンツ取得部、６３  画像音声提供部、６５  クーポン処理部、６６  リマインダ部、７１  ＣＭリスト、７２  タイトル、７３  現在記号、５５１，６２１  出力判定部、５５２，６２２  リスト処理部、５５３，６２３  閲覧処理部。
【図１】
2014034195.tif 000003
【図２】
2014034195.tif 000004
【図３】
2014034195.tif 000005
【図４】
2014034195.tif 000006
【図５】
2014034195.tif 000007
【図６】
2014034195.tif 000008
【図７】
2014034195.tif 000009
【図８】
2014034195.tif 000010
【図９】
2014034195.tif 000011
【図１０】
2014034195.tif 000012
【図１１】
2014034195.tif 000013
【図１２】
2014034195.tif 000014
【図１３】
2014034195.tif 000015
【図１４】
2014034195.tif 000016
【図１５】
2014034195.tif 000017
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
ディスプレイに表示される放送中の映像コンテンツに対するユーザの視聴状況を取得する視聴状況取得手段と、
前記ユーザに対して前記映像コンテンツと異なる付加コンテンツを提供するコンテンツ提供手段と、
前記視聴状況に基づいて、前記コンテンツ提供手段が前記ユーザに対して前記付加コンテンツを提供することを制御するコンテンツ制御手段と、
それぞれ他の複数のコンテンツに関連づけられた複数の文を示す情報を付加コンテンツとして取得する付加コンテンツ取得手段と、を含み、
前記視聴状況取得手段は、前記ユーザが前記ディスプレイの前にいるか否かを検出し、
前記コンテンツ制御手段は、前記コンテンツ提供装置が前記ディスプレイの前にある場合に、前記複数の文のうち前記ユーザが選択した文に関連づけられる複数のコンテンツのうち１つを選択し、前記コンテンツ提供装置が前記ディスプレイの前にない場合に、前記複数の文のうち前記ユーザが選択した文に関連づけられる複数のコンテンツのうち１つでありかつ前記コンテンツ提供装置が前記ディスプレイの前にある場合に選択されるコンテンツと異なるコンテンツを選択し、前記コンテンツ提供手段が当該選択されたコンテンツを付加コンテンツとして前記ユーザに提供するよう制御する、
ことを特徴とするコンテンツ提供装置。
【請求項２】
ディスプレイに表示される放送中の映像コンテンツに対するユーザの視聴状況を取得する視聴状況取得手段と、
前記ユーザに対して前記映像コンテンツと異なる付加コンテンツを提供するコンテンツ提供手段と、
前記視聴状況に基づいて、前記コンテンツ提供手段が前記ユーザに対して前記付加コンテンツを提供することを制御するコンテンツ制御手段と、を含み、
前記視聴状況取得手段は、前記ユーザが放送中の映像コンテンツ以外のコンテンツを閲覧しているか否かを検出し、
前記コンテンツ制御手段は、前記ユーザが前記放送中の映像コンテンツ以外のコンテンツを閲覧している場合に、前記ユーザに対して前記付加コンテンツを提供するよう制御する、
ことを特徴とするコンテンツ提供装置。
【請求項３】
ディスプレイに表示される放送中の映像コンテンツに対するユーザの視聴状況を取得する視聴状況取得手段と、
前記ユーザに対して前記映像コンテンツと異なる付加コンテンツを提供するコンテンツ提供手段と、
前記視聴状況に基づいて、前記コンテンツ提供手段が前記ユーザに対して前記付加コンテンツを提供することを制御するコンテンツ制御手段と、を含み、
前記視聴状況取得手段は、前記ユーザが前記放送中の映像コンテンツ以外のコンテンツの閲覧を終えたかを検出し、
前記コンテンツ制御手段は、前記ユーザが放送中の映像コンテンツ以外の前記コンテンツの閲覧を終えた場合に、前記ユーザに対して前記放送中の映像コンテンツの概要を紹介する情報を付加コンテンツとして提供するよう制御する、
ことを特徴とするコンテンツ提供装置。
【請求項４】
ディスプレイに表示される放送中の映像コンテンツに対するユーザの視聴状況を取得する視聴状況取得手段、
前記ユーザに対して前記映像コンテンツと異なる付加コンテンツを提供するコンテンツ提供手段、
前記視聴状況に基づいて、前記コンテンツ提供手段が前記ユーザに対して前記付加コンテンツを提供することを制御するコンテンツ制御手段、および
それぞれ他の複数のコンテンツに関連づけられた複数の文を示す情報を付加コンテンツとして取得する付加コンテンツ取得手段、
としてコンピュータを機能させ、
前記視聴状況取得手段は、前記ユーザが前記ディスプレイの前にいるか否かを検出し、
前記コンテンツ制御手段は、前記付加コンテンツを提供する装置が前記ディスプレイの前にある場合に、前記複数の文のうち前記ユーザが選択した文に関連づけられる複数のコンテンツのうち１つを選択し、前記付加コンテンツを提供する装置が前記ディスプレイの前にない場合に、前記複数の文のうち前記ユーザが選択した文に関連づけられる複数のコンテンツのうち１つでありかつ前記付加コンテンツを提供する装置が前記ディスプレイの前にある場合に選択されるコンテンツと異なるコンテンツを選択し、前記コンテンツ提供手段が当該選択されたコンテンツを付加コンテンツとして前記ユーザに提供するよう制御する、
プログラム。
【請求項５】
ディスプレイに表示される放送中の映像コンテンツに対するユーザの視聴状況を取得する視聴状況取得手段、
前記ユーザに対して前記映像コンテンツと異なる付加コンテンツを提供するコンテンツ提供手段、および、
前記視聴状況に基づいて、前記コンテンツ提供手段が前記ユーザに対して前記付加コンテンツを提供することを制御するコンテンツ制御手段、
としてコンピュータを機能させ、
前記視聴状況取得手段は、前記ユーザが放送中の映像コンテンツ以外のコンテンツを閲覧しているか否かを検出し、
前記コンテンツ制御手段は、前記ユーザが前記放送中の映像コンテンツ以外のコンテンツを閲覧している場合に、前記ユーザに対して前記付加コンテンツを提供するよう制御する、
プログラム。
【請求項６】
ディスプレイに表示される放送中の映像コンテンツに対するユーザの視聴状況を取得する視聴状況取得手段、
前記ユーザに対して前記映像コンテンツと異なる付加コンテンツを提供するコンテンツ提供手段、および、
前記視聴状況に基づいて、前記コンテンツ提供手段が前記ユーザに対して前記付加コンテンツを提供することを制御するコンテンツ制御手段、
としてコンピュータを機能させ、
前記視聴状況取得手段は、前記ユーザが前記放送中の映像コンテンツ以外のコンテンツの閲覧を終えたかを検出し、
前記コンテンツ制御手段は、前記ユーザが放送中の映像コンテンツ以外の前記コンテンツの閲覧を終えた場合に、前記ユーザに対して前記放送中の映像コンテンツの概要を紹介する情報を付加コンテンツとして提供するよう制御する、
プログラム。
【請求項７】
ディスプレイに表示される放送中の映像コンテンツに対するユーザの視聴状況を取得する視聴状況取得手段、
前記ユーザに対して前記映像コンテンツと異なる付加コンテンツを提供するコンテンツ提供手段、
前記視聴状況に基づいて、前記コンテンツ提供手段が前記ユーザに対して前記付加コンテンツを提供することを制御するコンテンツ制御手段、および
それぞれ他の複数のコンテンツに関連づけられた複数の文を示す情報を付加コンテンツとして取得する付加コンテンツ取得手段、
としてコンピュータを機能させるためのプログラムを格納し、
前記視聴状況取得手段は、前記ユーザが前記ディスプレイの前にいるか否かを検出し、
前記コンテンツ制御手段は、前記付加コンテンツを提供する装置が前記ディスプレイの前にある場合に、前記複数の文のうち前記ユーザが選択した文に関連づけられる複数のコンテンツのうち１つを選択し、前記付加コンテンツを提供する装置が前記ディスプレイの前にない場合に、前記複数の文のうち前記ユーザが選択した文に関連づけられる複数のコンテンツのうち１つでありかつ前記付加コンテンツを提供する装置が前記ディスプレイの前にある場合に選択されるコンテンツと異なるコンテンツを選択し、前記コンテンツ提供手段が当該選択されたコンテンツを付加コンテンツとして前記ユーザに提供するよう制御する、
コンピュータ読取り可能な情報記憶媒体。
【請求項８】
ディスプレイに表示される放送中の映像コンテンツに対するユーザの視聴状況を取得する視聴状況取得手段、
前記ユーザに対して前記映像コンテンツと異なる付加コンテンツを提供するコンテンツ提供手段、および、
前記視聴状況に基づいて、前記コンテンツ提供手段が前記ユーザに対して前記付加コンテンツを提供することを制御するコンテンツ制御手段、
としてコンピュータを機能させるためのプログラムを格納し、
前記視聴状況取得手段は、前記ユーザが放送中の映像コンテンツ以外のコンテンツを閲覧しているか否かを検出し、
前記コンテンツ制御手段は、前記ユーザが前記放送中の映像コンテンツ以外のコンテンツを閲覧している場合に、前記ユーザに対して前記付加コンテンツを提供するよう制御する、
コンピュータ読取り可能な情報記憶媒体。
【請求項９】
ディスプレイに表示される放送中の映像コンテンツに対するユーザの視聴状況を取得する視聴状況取得手段、
前記ユーザに対して前記映像コンテンツと異なる付加コンテンツを提供するコンテンツ提供手段、および、
前記視聴状況に基づいて、前記コンテンツ提供手段が前記ユーザに対して前記付加コンテンツを提供することを制御するコンテンツ制御手段、
としてコンピュータを機能させるためのプログラムを格納し、
前記視聴状況取得手段は、前記ユーザが前記放送中の映像コンテンツ以外のコンテンツの閲覧を終えたかを検出し、
前記コンテンツ制御手段は、前記ユーザが放送中の映像コンテンツ以外の前記コンテンツの閲覧を終えた場合に、前記ユーザに対して前記放送中の映像コンテンツの概要を紹介する情報を付加コンテンツとして提供するよう制御する、
コンピュータ読取り可能な情報記憶媒体。
【請求項１０】
ディスプレイに表示される放送中の映像コンテンツに対するユーザの視聴状況を取得する視聴状況取得ステップと、
前記ユーザに対して前記映像コンテンツと異なる付加コンテンツを提供するコンテンツ提供ステップと、
前記視聴状況に基づいて、前記ユーザに対して前記付加コンテンツを提供するステップを制御するコンテンツ制御ステップと、
それぞれ他の複数のコンテンツに関連づけられた複数の文を示す情報を付加コンテンツとして取得するステップと、を含み、
前記視聴状況取得ステップでは、前記ユーザが前記ディスプレイの前にいるか否かを検出し、
前記コンテンツ制御ステップでは、前記付加コンテンツを提供する装置が前記ディスプレイの前にある場合に、前記複数の文のうち前記ユーザが選択した文に関連づけられる複数のコンテンツのうち１つを選択し、前記付加コンテンツを提供する装置が前記ディスプレイの前にない場合に、前記複数の文のうち前記ユーザが選択した文に関連づけられる複数のコンテンツのうち１つでありかつ前記付加コンテンツを提供する装置が前記ディスプレイの前にある場合と異なるコンテンツを選択し、前記コンテンツ提供ステップにおいて当該選択されたコンテンツを付加コンテンツとして前記ユーザに提供するよう制御する、
ことを特徴とするコンテンツ提供方法。
【請求項１１】
ディスプレイに表示される放送中の映像コンテンツに対するユーザの視聴状況を取得する視聴状況取得ステップと、
前記ユーザに対して前記映像コンテンツと異なる付加コンテンツを提供するコンテンツ提供ステップと、
前記視聴状況に基づいて、前記ユーザに対して前記付加コンテンツを提供するステップを制御するコンテンツ制御ステップと、を含み、
前記視聴状況取得ステップでは、前記ユーザが放送中の映像コンテンツ以外のコンテンツを閲覧しているか否かを検出し、
前記コンテンツ制御ステップでは、前記ユーザが前記放送中の映像コンテンツ以外のコンテンツを閲覧している場合に、前記ユーザに対して前記付加コンテンツを提供するよう制御する、
ことを特徴とするコンテンツ提供方法。
【請求項１２】
ディスプレイに表示される放送中の映像コンテンツに対するユーザの視聴状況を取得する視聴状況取得ステップと、
前記ユーザに対して前記映像コンテンツと異なる付加コンテンツを提供するコンテンツ提供ステップと、
前記視聴状況に基づいて、前記ユーザに対して前記付加コンテンツを提供するステップを制御するコンテンツ制御ステップと、を含み、
前記視聴状況取得ステップでは、前記ユーザが前記放送中の映像コンテンツ以外のコンテンツの閲覧を終えたかを検出し、
前記コンテンツ制御ステップでは、前記ユーザが放送中の映像コンテンツ以外の前記コンテンツの閲覧を終えた場合に、前記ユーザに対して前記放送中の映像コンテンツの概要を紹介する情報を付加コンテンツとして提供するよう制御する、
ことを特徴とするコンテンツ提供方法。
【国際調査報告】
2014034195.tif 000018
2014034195.tif 000019
2014034195.tif 000020
2014034195.tif 000021
2014034195.tif 000022
2014034195.tif 000023
2014034195.tif 000024
2014034195.tif 000025